(57)【特許請求の範囲】
【請求項１】
埋設ガス管路における工事区間の両側に掘削立て坑を形成し、該掘削立て坑内のガス管路にガス遮断部材を挿入するガス管工事現場における防災工法であって、
上記ガス遮断部材の挿入箇所周辺で発生した火災による上記ガス遮断部材の損傷に対して、上記挿入箇所周辺を、消火水と高吸水性樹脂との混合物に高粘性を付与した高粘性ゲル状体で包囲して、火災の消火と同時に上記挿入箇所からのガス噴出を遮断することを特徴とするガス管工事現場における防災工法。
【請求項２】
上記高粘性ゲル状体には、熱ゲル形成体が含まれることを特徴とする請求項１記載のガス管工事現場における防災工法。
【発明の詳細な説明】
【０００１】
【発明の属する技術分野】
本発明は、ガス管工事現場における防災工法に関し、更に詳しくは、埋設された都市ガス管路の工事区間両側を遮断してバイパス管路を設置するガス管工事現場において、予期せぬガス漏れに起因する火災に対処する防災工法に関する。
【０００２】
【従来の技術】
まず、埋設された都市ガス管路の部分取り替え等の工事について図４に基づいて説明する。１は地中に埋設されている都市ガスの既設管路である。工事の工程は以下のとおりである。▲１▼．工事区間Ｄの両側に掘削立て坑Ａ，Ｂを形成する。▲２▼．管路が繋がっている状態で管路に穿孔してバイパス管４を取り付ける。▲３▼．バイパス管４の取り付け箇所と工事区間の間にバッグ挿入孔を穿孔し、この挿入孔からバッグ７（ガス遮断部材）を挿入した後にこのバッグ７を膨らませて工事区間の両側でガスの流通を遮断する。▲４▼．パイパス管４のコックを開いて工事区間を跨いだガスの供給を行いながら、取り替え等の工事を施す。
【０００３】
上述したガス管工事を行うための掘削立て坑Ａ，Ｂ周辺の現場では、バッグの収縮或いは破損等の予期せぬ事態が生じて、ガス管路に穿孔したバッグ挿入孔からガス漏れが発生する危険性がある。この危険を回避するための一つの手段として、上記のバッグ挿入孔の上に放散管を８を立設し、漏れたガスを放散管８を介して掘削立て坑Ａ，Ｂの外に放出することがなされている。
【０００４】
【発明が解決しようとする課題】
上記のガス管工事において、ガス管に穿孔したバッグ挿入孔からガス漏れが生じると、この漏れたガスに火気が引火して火災が発生する危険性がある。この一次的な火災に対しては、ガス管工事現場に消火器を設置して、火災発生箇所に消化剤を投入することによって消火せしめることで対処することができる。しかしながら、この一次的な火災によってバッグが完全に損傷してしまうことがあり、この場合、火災の消火後に大量のガスが掘削立て坑周辺に噴出することになり、これに火気が引火するとガス爆発等の二次災害を引き起こす危険性がある。
【０００５】
本発明は、上記のような事情に対処するために提案されたものであって、ガス管工事現場におけるガス火災について、火災の消火と同時にガス噴出による二次災害を防止することを可能にした防災工法を提供することを目的とするものである。
【０００６】
【課題を解決するための手段】
上記目的を達成するために、本発明によるガス管工事現場における防災工法は、埋設ガス管路における工事区間の両側に掘削立て坑を形成し、該掘削立て坑内のガス管路にガス遮断部材を挿入するガス管工事現場における防災工法であって、上記ガス遮断部材の挿入箇所周辺で発生した火災による上記ガス遮断部材の損傷に対して、上記挿入箇所周辺を、消火水と高吸水性樹脂との混合物に高粘性を付与した高粘性ゲル状体で包囲して、火災の消火と同時に上記挿入箇所からのガス噴出を遮断することを特徴とする。更に具体的には、上記高粘性ゲル状体には、熱ゲル形成体が含まれることを特徴とする。
【０００７】
上記特徴を具備するガス管工事現場における防災工法によると、ガス管工事現場における掘削立て坑内のガス遮断部材挿入箇所周辺で発生した火災によってガス遮断部材が損傷した場合に、投入された高粘性ゲル状体が火災によってガス遮断部材が損傷したガス遮断部材挿入箇所周辺を包囲することで、火災と同時にガス遮断部材挿入箇所から噴出するガスを遮断して、ガス爆発等の二次的な災害を防止する。
【０００８】
また、上記高粘性ゲル状体は、消火水と高吸水性樹脂との混合物に高粘性を付与したものにすることで、火災箇所への投入によって火災を消火すると同時に、ガス遮断部材挿入箇所から噴射するガスを遮断することができる。
【０００９】
また、上記の高粘性ゲル状体に熱ゲル形成体を含有させることで、火災箇所への投入時の加熱によって消火水含有の高粘性ゲル状体が熱ゲル化して適度の高粘性が付与され、付着性及びガスの遮断性能が向上する。
【００１０】
【発明の実施の形態】
以下、本発明の実施形態を図面を参照して説明する。図１は本発明の一実施例に係るガス管工事現場における防災工法を示す説明図である。図は、工事区間の片側に形成された掘削立て坑Ａ周辺の工事現場を示している。１はガス管路、２ａ，２ｂはバイパス管取り付け用のサドル、３は接続継手、４はバイパス管であり、ガス管路１には、ガス遮断部材であるバッグの挿入孔１ａが穿孔されており、この挿入孔１ａからバッグ７，７が挿入されている。このガス管工事現場においては、バッグ７を越して挿入孔１ａから漏れ出たガスに火気が引火してガス火災が発生する危険性がある。図１にはこのガス火災を消火するため設備が示されており、消火水ポンプ１０により消火水タンク１１から消火水を吸引するホース１３の途中に供給ホース１４の一端を接続し、その供給ホース１４の他端を高吸水性樹脂及び熱ゲル形成体が収容された容器１２に接続して、放出ホース１５の放出口１６を火災箇所に向けている。
【００１１】
この図１に示す工法によると、、消火水ポンプ１０の吸引力によって、容器１２から高吸水性樹脂と熱ゲル形成体を供給ホース１４を介してホース１３内に供給させ、ホース１３内で消火水，高吸水性樹脂，熱ゲル形成体を混合させて、この混合物を放出ホース１５を介して放出口１６から火災箇所に放出する。ホース１３内で混合された混合物はある程度流動性のある消火水含有ゲル状体となり、この消火水含有ゲル状体が火災箇所に投入されることで、含有している熱ゲル形成体が火炎によって加熱されて熱ゲル化して高粘性が付与される。これにより、バッグ７の挿入孔１ａ周辺は高粘性の消火水含有ゲル状体で包囲されることになり、一次火災の消火と共に挿入孔１ａからのガス噴出を遮断して二次的な災害を防止することが可能になる。
【００１２】
図２，３は、他の実施形態を示す説明図である（図１の例と同一箇所には同一符号を付して一部説明を省略する。）。図２の工法は、消火水ポンプ１０によって消火水タンク１１からホース１３を介して消火水を放出ホース１５に送り、この放出ホース１５に供給ホース１４を接続して、容器１２から送られる高吸水性樹脂，熱ゲル形成体を放出ホース１５の途中で消火水と混合し、放出口１６から消火水含有ゲル状体を放出するものである。図３の工法は、吸水性樹脂，熱ゲル形成体を供給ホース１４，放出口１４ａ介するか或いはこれらを介することなく、直接火災箇所に投入する。そして、火災箇所上に投入された吸水性樹脂，熱ゲル形成体上に放出口１６から消火水を投入し、これらを混合して消火水含有ゲル状体を形成し、挿入孔１ａ周辺を高粘性の消火水含有ゲル状体で包囲する。
【００１３】
本発明で使用される高吸水性樹脂としては、吸水性が速いこと、膨潤性が高いこと、保水性が良好であること、毒性がないことが条件となるが、アクリル酸重合物ナトリウム塩、デンプン−アクリル酸グラフト共重合体、ビニルエステル−不飽和カルボン酸共重合体ケン化物、架橋ポリエチレンオキシド等が適する。
【００１４】
また、本発明で使用される熱ゲル形成体としては、水溶液が熱ゲル化するアルキルセルロース粉体又はヒドロキシアルキルセルロ−ス粉体、具体的には、水溶性のメチルセルロース、ヒドロキシプロピルメチルセルロース、ヒドロキシエチルメチルセルロース等を挙げることができる。
【００１５】
なお、上記の実施例では熱ゲル形成体を使用したが、消火水含有ゲル状体に高粘性を付与するための混合物はこれに限定されるものではなく、市販の縮合物を用いることも可能である。消火水含有ゲル状体に高粘性を付与することによって、挿入孔１ａ周辺への付着性が良好になると共に、噴出するガスの遮断性能が向上する。
【００１６】
【発明の効果】
本発明は上記のように構成されるので、ガス管工事現場におけるガス遮断部材の挿入箇所周辺で発生したガス火災によるガス遮断部材の損傷に対して、上記挿入箇所周辺を、消火水と高吸水性樹脂との混合物に高粘性を付与した高粘性ゲル状体で包囲して、火災の消火と同時に上記挿入箇所からのガス噴出を遮断するようにしたので、一次火災後に発生するガス噴出による二次災害を防止することができる。
【図面の簡単な説明】
【図１】本発明の一実施例に係るガス管工事現場における防災工法を示す説明図である。
【図２】本発明の他の実施形態を示す説明図である。
【図３】本発明の他の実施形態を示す説明図である。
【図４】埋設された都市ガス管路の部分取り替え等の工事について示す説明図。
【符号の説明】
１  ガス管路
４  バイパス管
７  バッグ
１０  消火水ポンプ
１１  消火水タンク
１２  容器
１３  ホース
１４  供給ホース
１５  放出ホース
１６  放出口
【図１】
0003830705.tif 000002
【図２】
0003830705.tif 000003
【図３】
0003830705.tif 000004
【図４】
0003830705.tif 000005